(57)【要約】【課題】１つの光源の照射領域よりも小さな照射領域を照射できるようにする。【解決手段】活性エネルギー線硬化型液体を硬化する活性エネルギー線を照射する液体硬化装置１２であって、ＬＥＤランプなどで構成された複数の光源１３（１３ａ〜１３ｆ）の列１３Ａ、１３Ｂと、光源１３の出射面の前方に配置され、光源１３からの出射光を部分的に遮光する遮光フィルタ部材１４とを有し、遮光フィルタ部材１４は、所定の方向に移動可能に配置されている。【選択図】図３
2019142117.tif 000002
【特許請求の範囲】
【請求項１】
液体を硬化させる活性エネルギー線を照射する光源と、
前記光源の前方に配置され、少なくとも前記光源からの活性エネルギー線を部分的に遮光する遮光フィルタ部材と、を有し、
前記遮光フィルタ部材は前記光源に対して移動可能に配置されている
ことを特徴とする液体硬化装置。
【請求項２】
前記遮光フィルタ部材は幅が一定でない
ことを特徴とする請求項１に記載の液体硬化装置。
【請求項３】
前記遮光フィルタ部材は、メッシュ状である
ことを特徴とする請求項１又は２に記載の液体硬化装置。
【請求項４】
前記遮光フィルタ部材は、スリット状である
ことを特徴とする請求項１又は２に記載の液体硬化装置。
【請求項５】
前記光源が複数の分割光源で構成されている
ことを特徴とする請求項１ないし４のいずれかに記載の液体硬化装置。
【請求項６】
液体を吐出する液体吐出手段と、
請求項１ないし５のいずれかに記載の液体硬化装置と、を備えている
ことを特徴とする液体を吐出する装置。
【請求項７】
前記液体吐出手段及び前記液体硬化装置は、移動走査されるキャリッジに搭載されている
ことを特徴とする請求項６に記載の液体を吐出する装置。
【発明の詳細な説明】
【技術分野】
【０００１】
本発明は液体硬化装置、液体を吐出する装置に関する。
【背景技術】
【０００２】
液体を吐出する装置として、活性エネルギー線硬化型液体を吐出するものがある。
【０００３】
従来、複数の紫外線光源を使用して、光源単位で照射強度を制御可能としたものが知られている（特許文献１）。
【先行技術文献】
【特許文献】
【０００４】
【特許文献１】特許第５０９５４４２号公報
【発明の概要】
【発明が解決しようとする課題】
【０００５】
しかしながら、特許文献１に開示の構成にあっては、１つの光源よりも小さな照射領域を制御することができないという課題がある。
【０００６】
本発明は上記の課題に鑑みてなされたものであり、光源よりも小さな照射領域への照射を可能にすることを目的とする。
【課題を解決するための手段】
【０００７】
上記の課題を解決するため、本発明に係る液体硬化装置は、
液体を硬化させる活性エネルギー線を照射する光源と、
前記光源の前方に配置され、少なくとも前記光源からの活性エネルギー線を部分的に遮光する遮光フィルタ部材と、を有し、
前記遮光部材は前記光源に対して移動可能に配置されている
構成とした。
【発明の効果】
【０００８】
本発明によれば、光源よりも小さな照射領域への照射が可能になる。
【図面の簡単な説明】
【０００９】
【図１】本発明の第１実施形態に係る液体を吐出する装置としての印刷装置の正面説明図である。
【図２】同じくキャリッジ部分の底面説明図である。
【図３】硬化手段を構成している液体硬化装置の出射面側の平面説明図である。
【図４】本実施形態の作用説明に供する平面説明図である。
【図５】本実施形態の作用説明に供する平面説明図である。
【図６】本発明の第２実施形態に係る液体硬化装置の出射面側の平面説明図である。
【図７】本発明の第３実施形態に係る液体硬化装置の出射面側の平面説明図である。
【図８】同実施形態の作用説明に供する積算光量の時間変化を説明する説明図である。
【図９】本発明の第４実施形態に係る液体硬化装置の出射面側の平面説明図である。
【図１０】本発明の第５実施形態に係る液体硬化装置の出射面側の平面説明図である。
【図１１】本発明の第６実施形態に係る液体硬化装置の出射面側の平面説明図である。
【図１２】本発明の第７実施形態に係る液体を吐出する装置としての印刷装置の正面説明図である。
【発明を実施するための形態】
【００１０】
以下、本発明の実施の形態について添付図面を参照して説明する。本発明の第１実施形態について図１及び図２を参照して説明する。図１は同実施形態に係る液体を吐出する装置としての印刷装置の正面説明図、図２は同じくキャリッジ部分の底面説明図である。
【００１１】
印刷装置１は、シリアル型印刷装置であり、主走査方向に移動走査されるキャリッジ１０を有し、キャリッジ１０には液体を吐出する液体吐出手段としての液体吐出ヘッド（以下、ヘッドという。）１１（１１Ａ〜１１Ｆ）を搭載している。ヘッド１１Ａ〜１１Ｆは所要の色の液体を吐出し、ヘッド１１Ｆはクリア（（透明）液体１６を吐出する。また、キャリッジ１０の主走査方向の一端部には本発明に係る液体硬化装置として硬化手段１２が搭載されている。
【００１２】
そして、印刷媒体１５を副走査方向に間欠的に搬送しながら、キャリッジ１０を主走査方向に移動走査してヘッド１１から所要の液体１６を吐出して印刷媒体１５に画像を形成し、硬化手段１２によって活性エネルギー線を照射して液体を硬化させて、印刷物を得る。
【００１３】
次に、硬化手段を構成している液体硬化装置について図３も参照して説明する。図３は液体硬化装置の出射面側の平面説明図である。
【００１４】
液体硬化装置１２は、ＬＥＤランプなどで構成された複数の分割光源１３ａ〜１３ｆでの列１３Ａ、１３Ｂで構成される光源１３と、光源１３の出射面の前方に配置され、光源１３からの出射光を部分的に遮光する遮光フィルタ部材１４とを有している。
【００１５】
遮光フィルタ部材１４は、本実施形態では矩形状部材であり、矢印方向（ここでは、副走査方向Ｙ）に移動可能に配置されている。
【００１６】
次に、本実施形態の作用について図４及び図５を参照して説明する。図４及び図５は同作用説明に供する平面説明図である。
【００１７】
本実施形態では、分割光源１３ｃは例えばヘッド１１Ａと１１Ｂとに跨った照射領域（出射光領域）を有している。そのため、例えば、分割光源１３ｃを点灯したときにはヘッド１１Ａによる吐出領域とヘッド１１Ｂによる吐出領域の一部とを照射することになる。一方、分割光源１３ｃを消灯したときにはヘッド１１Ａによる吐出領域の一部を照射することができなくなる。
【００１８】
したがって、分割光源１３ｃの点灯、消灯だけではヘッド１１Ａの吐出領域全体のみを硬化することができないことになる。
【００１９】
そこで、図４に示すように、遮光フィルタ部材１４を移動させて、分割光源１３ａ〜１３ｃを点灯（点灯状態は面塗りを施して図示している）させ、分割光源１３ｃのヘッドの境目より分割光源１３ｄ側を遮光し、分割光源１３ｄ〜１３ｆを消灯する。
【００２０】
これにより、ヘッドの境目で正確に硬化領域と非硬化領域とを分けることができる。したがって、ヘッド１１Ａ、１１Ｃ、１１Ｅの吐出領域全体を硬化することができる。
【００２１】
また、図５に示すように、クリア液体を吐出するヘッド１１Ｆの任意の位置に点灯領域の端を配置することができ、１つのヘッド１１Ｆでマット調領域ｍとグロス調領域ｇを打ち分けることができるようになる。
【００２２】
このように、遮光フィルタ部材を備えることによって、光源（ここでは、１つの分割光源）の照射領域よりも小さな照射領域を照射することができる。
【００２３】
次に、本発明の第２実施形態について図６を参照して説明する。図６は同実施形態に係る液体硬化装置の出射面側の平面説明図である。
【００２４】
本実施形態は、光源１３としてスリット状のメタルハライドランプを使用した例である。
【００２５】
この場合でも、遮光フィルタ部材１４の位置を変更することで、部分的に遮光することができる。
【００２６】
次に、本発明の第３実施形態について図７を参照して説明する。図７は同実施形態に係る液体硬化装置の出射面側の平面説明図である。
【００２７】
本実施形態では、遮光フィルタ部材１４の移動方向と交差する方向の辺が斜めに形成されており、遮光フィルタ部材１４の幅が一定ではない構成としたものである。この場合、遮光フィルタ部材１４は、光源１３の列１３Ａ、１３Ｂを斜めに横断することになる。
【００２８】
本実施形態の作用について図８を参照して説明する。図８は同説明に供する積算光量の時間変化を説明する説明図である。
【００２９】
前述した第１実施形態による場合には、図８（ａ）に示すように、キャリッジ１０が主走査方向に移動するときに印刷媒体１５に与える積算光量は時間変化に対する光量が段階的に変化するときの変化量が大きくなる。
【００３０】
これに対して、本実施形態では、光源１３と遮光フィルタ部材１４の境目では、キャリッジ１０が主走査方向に移動するときに、印刷媒体１５に与える積算光量が遮光フィルタ部材１４で覆われていない面より小さくなる。これにより、図８（ｂ）に示すように、時間変化に対して積算光量の変化量が小さくなり、なだらかに変化させることができる。
【００３１】
次に、本発明の第４実施形態について図９を参照して説明する。図９は同実施形態に係る液体硬化装置の出射面側の平面説明図である。
【００３２】
本実施形態では、遮光フィルタ部材１４は、一部又は全部を、特定の活性エネルギー線、例えば紫外線を遮光する遮光フィルタ部材１４Ａとしている。
【００３３】
これにより、遮光フィルタ部材１４のうち紫外線を遮光する部分で紫外線光の光強度を変更することができ、時間変化に対して積算光量をなだらかに変化させることができる。
【００３４】
次に、本発明の第５実施形態について図１０を参照して説明する。図１０は同実施形態に係る液体硬化装置の出射面側の平面説明図である。
【００３５】
本実施形態では、遮光フィルタ部材１４は、一部又は全体がメッシュ状の紫外線遮光フィルタ部材１４Ｂとしている。
【００３６】
これにより、紫外線遮光フィルタ部材１４Ｂで覆った領域の紫外線光の光強度を変更することができ、時間変化に対して積算光量をなだらかに変化させることができる。
【００３７】
次に、本発明の第６実施形態について図１１を参照して説明する。図１１は同実施形態に係る液体硬化装置の出射面側の平面説明図である。
【００３８】
本実施形態では、遮光フィルタ部材１４は、一部又は全体がスリット状の紫外線遮光フィルタ部材１４Ｃとしている。
【００３９】
これにより、紫外線遮光フィルタ部材１４Ｃで覆った領域の紫外線光の光強度を変更することができ、時間変化に対して積算光量をなだらかに変化させることができる。
【００４０】
本発明の第７実施形態について図１２を参照して説明する。図１２は同実施形態に係る液体を吐出する装置としての印刷装置の正面説明図である。
【００４１】
本実施形態の印刷装置１は、ライン型印刷装置であり、ベース部材２０に液体を吐出する複数のヘッド１１（１１Ａ〜１１Ｆ）を配置したライン型ヘッドアレイ２１を備えている。
【００４２】
そして、ヘッドアレイ２１の媒体送り方向下流側に、本発明に係る液体硬化装置として硬化手段１２が搭載されている。ここでは、硬化手段１２の遮光フィルタ部材１４はヘッド１１の並び方向（送り方向と直交する方向））であるＸ方向に移動可能に配置されている。
【００４３】
硬化手段１２として前記各実施形態で説明した液体硬化装置を適用することができる。
【００４４】
なお、液体としては、活性エネルギー線硬化型液体に限るものではなく、また、活性エネルギー線硬化型液体としては紫外線硬化型液体に限るものではなく、電子線（ＥＢ）硬化型液体などでもよい。
【符号の説明】
【００４５】
１０  キャリッジ
１１、１１Ａ〜１１Ｆ  液体吐出ヘッド
１２  硬化手段（液体硬化装置）
１３、１３ａ〜１３ｆ  光源
１４、１４Ａ〜１４Ｃ  遮光フィルタ部材
【図１】
2019142117.tif 000003
【図２】
2019142117.tif 000004
【図３】
2019142117.tif 000005
【図４】
2019142117.tif 000006
【図５】
2019142117.tif 000007
【図６】
2019142117.tif 000008
【図７】
2019142117.tif 000009
【図８】
2019142117.tif 000010
【図９】
2019142117.tif 000011
【図１０】
2019142117.tif 000012
【図１１】
2019142117.tif 000013
【図１２】
2019142117.tif 000014